(57)【要約】      （修正有）【課題】どんな平らな机にも、ぴったりと貼り付けられるように置かれ、滑り止め効果を有するポップアップ式付箋紙ケースを提供する。【解決手段】ケース体１と底板２を備えてなり、ケース体１の上方の表面に、ポップアップ式付箋紙３を出すための開き口があり、短い方の両側面にはそれぞれ、異なる種類、大きさのポップアップ式付箋紙４，５を出すための長い切欠き１１がある。ケース体１と底板２は、爪フック１２０、スロット２０との嵌め込みにより、閉じ込められるようになる。ケース体１の長い方の両側面にはそれぞれ、名刺６を収められる名刺入れ空間があり、ポップアップ式付箋紙３の滑り動きを止めるために、その内部に複数の仕切板１２，１３が設けられる。ポップアップ式付箋紙３と底板２との間を支えるために、圧縮されている弾性体７が設けられ、それにより、ポップアップ式付箋紙３が取り出させると、自動的に開き口まで上がることになっている。底板２には、ゴム吸盤２４が貼り付けられている。【選択図】図１
0003186087.tif 000002
【実用新案登録請求の範囲】
【請求項１】
ケース体と底板を備えてなり、該ケース体は、一面に開き口のある筐体であり、該ケース体の上方の表面に、ポップアップ式付箋紙を出すための開き口があり、短い方の両側面にはそれぞれ、異なるタイプのポップアップ式付箋紙を出すための長い切欠きがあり、該ケース体にある長い方の両側面にはそれぞれ、名刺を収められる収納空間があり、ポップアップ式付箋紙の滑り動きを止めるために、その内部に複数の仕切板が設けられ、そして、ポップアップ式付箋紙と該底板との間を支えるために、圧縮されている弾性体が設けられ、それにより、ポップアップ式付箋紙が取り出させると、自動的に上方の表面にある該開き口まで上がることになっており、該底板の四隅にそれぞれスロットが設けられ、該スロットは更にそれぞれフック形嵌込部が設けられ、該底板の該スロットがぞれぞれ、該ケース体の開き口のある面における該仕切板の爪フックにそれぞれ合わせるようにし、該底板を滑り動かして嵌め込み、フック形嵌込部、爪フックをそれぞれ相互に嵌め合わせるようにし、該底板で該ケース体を封じ込むように設けられていることを特徴とするポップアップ式付箋紙ケース。
【請求項２】
該ケース体の長い方の両側面内にはそれぞれ、該仕切板で、名刺を収められる収納空間が仕切られ、該仕切板の中央に更に、名刺を取り出すための切欠きがあり、該切欠きに対応するための突条部が該底板の表面に設けられていることを特徴とする請求項１に記載のポップアップ式付箋紙ケース。
【請求項３】
該底板の底面には、浅い切込みが設けられ、そこにゴム吸盤が設けられることを特徴とする請求項１に記載のポップアップ式付箋紙ケース。
【考案の詳細な説明】
【技術分野】
【０００１】
本考案は、付箋紙ケースに関わり、特に、取付け・取外しが簡単にできる嵌込構造で、固定用吸盤を備えてなるケース体の構造をなしていて、補充可能で繰返し使用できるポップアップ式付箋紙ケースに関する。
【背景技術】
【０００２】
付箋は、いつでも、重要な物事や備考、よくある連絡事項を書き入れるために用いられるメモ用紙であり、よくある付箋紙は、複数の紙を重ねてなり、紙の同じ側の底縁の局所に適当な粘着性のある粘着剤が塗布され、本の形のように設けられてなるが、使用するとき、その紙の正面に記事メモを書き入れ、背面の粘着剤付きの箇所を好きなところに張り付けて、忘れないようにしておくことができる。使用のとき、使用者は好みやニーズに応じて、異なるサイズの付箋紙を選べるから、使用選択も更に多様化すること、自ら補充可能な付箋紙セットを使用することで、使用可能期間が延び、繰返し使用できる効果がある。
【０００３】
このような付箋紙は、ぱっと取って貼り付けられるというメリットがあり、多くの人々に好まれているが、長い時間使用してから、付箋全体の重さが軽くて、その一枚を取って貼り付けるとき、その一枚をうまく外すことができず、つい付箋全体を取ってしまうことがある。そこで、一方の手で付箋紙を押さえながら、他方の手でそれを外すことになっており、そうすると、スムーズでてきぱきと行うことはできず、特に、数枚しか残らない場合は、更に、取り外しにくくなり、それに、付箋ケースに収められ、それがガラスの机などに置かれて使用されている場合、付箋を取るとき、付箋台が滑ったりして、更に取り外しにくくなる。そのうえ、このような付箋紙は、通常、枚数が少なく、使用可能期間が短く、常に新しいものを購入する必要があり、それで使用者が困ったり、不便に感じたりする。
上述した従来の付箋紙と付箋台の設計に不十分なところがあることに鑑みて、本案の考案者は、その設計の研究に取り組み、更に上を求めよう新しいアイデアを持続的に凝らし、上述した不十分な点を更に改良して、より実用性のある本考案を開発した。
【考案の開示】
【考案が解決しようとする課題】
【０００４】
本考案は、多種多様なポップアップ式付箋紙を同時に収められ、簡単に取外してそこにポップアップ式付箋紙の補充が可能で、使用可能期間が延び、繰返し使用できる効果を有するポップアップ式付箋紙ケースを提供することを目的とする。
【０００５】
本考案は、ガラスの机に置かれても滑り止め効果を有するポップアップ式付箋紙ケースを提供することをもう一つの目的とする。  
【課題を解決するための手段】
【０００６】
上述した目的を達成させるため、本考案は、ケース体と底板を備えてなり、該ケース体の上方の表面に、ポップアップ式付箋紙を出すための開き口があり、短い方の両側面にはそれぞれ、異なる種類、大きさのポップアップ式付箋紙を出すための長い切欠きがあり、該ケース体と該底板は爪フック、スロットとの嵌め込みにより、閉じ込められるようになり、該ケース体の長い方の両側面にはそれぞれ、名刺を収められる名刺入れ空間があり、ポップアップ式付箋紙の滑り動きを止めるために、その内部に複数の仕切板が設けられ、そして、ポップアップ式付箋紙と該底板との間を支えるために、圧縮されている弾性体が設けられ、それにより、ポップアップ式付箋紙が取り出させると、自動的に該開き口まで上がることになっており、該底板には、ゴム吸盤が貼り付けられており、どこから該ケース体に接触しても、逆に押返す力を持っており、それにより、該ケース体はどんな平らな机にも、ぴったりと貼り付けられるように置かれ、滑り止め効果を持っていることを特徴とするポップアップ式付箋紙ケースを提供する。
【０００７】
該ケース体の中にはそれぞれ、縦仕切板、横仕切板が設けられ、それにより、その中に収められるポップアップ式付箋紙を囲んでおり、その滑り動きを止めるように設けられていることを特徴とする。
【０００８】
該底板は該ケース体の一面に嵌め込まれており、その四隅にそれぞれ該スロットがあり、該スロットを該ケース体の該爪フックに合わせ、嵌め込ませるように、該底板を滑り動かして、該爪フックを該底板のスロットにあるフック形嵌込部にしっかりと嵌め合せるようにするが、それを取リ外すとき、手で軽く該底板を押し離すと、外せるようになっていることを特徴とする。
【０００９】
該ケース体にあっては、透明な該底板を利用して、中に収められるポップアップ式付箋紙の多様な色を見せると同時に、  宣伝用名刺を収めて、広告効果を出して、人の目を惹きつけることができることを特徴とする。
【００１０】
審査員に本考案の構造、機能及び効果についてより理解していただけるよう、以下は、具体的な実施例と図示を以って詳しく説明する。
【図面の簡単な説明】
【００１１】
【図１】本考案のポップアップ式付箋紙ケースの立体分解図である。
【図２】本考案のポップアップ式付箋紙ケースの組立てイメージ図である。
【図３】本考案のポップアップ式付箋紙ケースの結合部分の断面イメージ図である。
【図４】本考案のポップアップ式付箋紙ケースの中にポップアップ式付箋紙が収められているイメージ図である。
【図５】本考案のポップアップ式付箋紙ケースがガラスの机に置かれている場合、ゴム吸盤による滑り止めのついたイメージ図である。
【図６】本考案の長方形の一ポップアップ式付箋紙セットに置き換えたイメージ。
【考案を実施するための形態】
【００１２】
図１〜図５に示すように、図示の本考案は、ケース体（１）と底板（２）を備えてなる“ポップアップ式付箋紙ケース”である。
【００１３】
一面に開き口がある中空の筐体をなしている該ケース体（１）が備わり、該ケース体（１）の上方の表面に、ポップアップ式付箋紙（３）を出すための開き口（１０）があり、短い方の両側面にはそれぞれ、異なる種類、大きさのポップアップ式付箋紙を出すための長い切欠き（１１）があり、該ケース体（１）内には複数の仕切板があり、短い方の両側の対向した面にはそれぞれ、ポップアップ式付箋紙を収めるための空間を仕切られるための縦仕切板（１２）が設けられ、その中の短い方の側面にポップアップ式付箋紙セット（４）が収められ、  該ポップアップ式付箋紙セット（４）は、端部が方形、尖った形、及び矢印形をしている長方形のポップアップ式付箋紙セットを備えてなり、そして、シート（４０）の上に貼り付けるように設けられており、その対向した側には、方形のポップアップ式付箋紙（５）が収められており、該ケース体（１）の長い方の両側面内にはそれぞれ、名刺（６）を収められる空間を仕切るための横仕切板（１３）があり、該縦仕切板（１２）、該横仕切板（１３）が囲んでいる空間内には、該ポップアップ式付箋紙（３）を収められ、その滑り動きを止めることができることになっており、該縦仕切板（１２）の四隅に近い箇所にそれぞれ、爪フック（１２０）、リブ（１２１）が設けられ、該横仕切板（１３）の中央には、名刺（６）を取り出すための切欠き（１３０）が設けられている。  
【００１４】
該底板（２）は、該ケース体（１）の一面にある該開き口（１０）を閉じ込み、嵌め込まれており、該底板（２）は、四隅に近い箇所にそれぞれ、スロット（２０）が設けられ、該スロット（２０）の上にフック形嵌込部（２１）、該底板（２）の上に、該ポップアップ式付箋紙（３）と該底板（２）の間を支えるための圧縮されている弾性体（７）があり、それにより、該ポップアップ式付箋紙（３）が、該底板（２）の長い方の片側で、該ケース体（１）の該横仕切板（１３）の切欠き（１３０）に対応したところにそれぞれ、突条部（２２）が設けられ、それにより、該横仕切板（１３）の切欠き（１３０）の隙間を埋め込み、そこに一枚の名刺（６）が置かれても、斜めにならないように、該名刺（６）の下方を支えるように設けられており、該底板（２）の底面の中央には、浅い切込み（２３）が設けられ、そこにゴム吸盤（２４）が張り付けられており、図３に示すように、やや凹形をしている該ゴム吸盤（２４）が該底板（２）の底面に張り付けられている。
【００１５】
図３の結合部の断面図に示すように、該ケース体（１）と該底板（２）を組み立てるとき、該底板（２）を、四隅の該スロット（２０）を該ケース体（１）の該爪フック（１２０）に合わせて嵌め込むように、該底板（２）の該スロット（２０）と該フック形嵌込部（２１）との間まで滑らし込み、しっかりと嵌め合わせるように設けられており、それを取外すとき、手で軽く該底板（２）を押し離すと、外せるようになっている。  
【００１６】
図４に示すように、該ポップアップ式付箋紙（３）を取り出し続けるとき、弾性体（７）の上方にあるポップアップ式付箋紙（３）は、前から受けている圧迫力から次第に解放されながら、続いて上がるようになり、該開き口（１０）まで自動的に上がるように、ポップアップ式付箋紙（３）の最後の一枚まで取り出せることになっており、ポップアップ式付箋紙が一枚一枚とスムーズでてきぱきと取り出すのが可能で、ポップアップ式付箋紙（３）の枚数の減少で、ケース体（１）の該開き口（１０）内に落ちたり、取りにくくなったりする場合もない。
【００１７】
図５に示すように、該底板（２）の底面に、該ゴム吸盤（２４）が張り付けられており、どこから手で該ケース体（１）に接触しても、該ゴム吸盤（２４）がそれに対して、適当な押し返力を持っており、それと同時に、該ゴム吸盤（２４）内の空気を押出して、該ゴム吸盤（２４）が接触面により貼り付けるような吸着力もアップし、それで、該ケース体（１）は机の上に置かれ、特に滑り動いやすいガラスの机（８）に置かれても、更なる滑り止め効果がある。
【００１８】
図６に示すように、本考案は、シート（４０）に張り付いている長方形のポップアップ式付箋紙セット（４）をいつでも、単一補充、またはゼットごと補充することができる。図６には、両端が揃って平らになっている、三種類の長方形のポップアップ式付箋紙セット（９）に置き換えた場合を示している。
【００１９】
上述した内容をまとめると、本考案には、異なる種類、大きさで、任意な色や材料で作られた、識別性がよくまたは防水性のあるポップアップ式付箋紙を三セット収められており、該ケース体にあっては、透明な該底板を利用して、中に収められる異なるタイプのポップアップ式付箋紙の多様な色を見せることができること、該ポップアップ式付箋紙セットは、該シートに張り付けられる三種類の長方形のポップアップ式付箋紙であり、特に、端部が矢印形をしているポップアップ式付箋紙は、防水フィルムラベルのポップアップ式付箋紙であり、両端にそれぞれ表示用矢印部があり、片端は色付きの半透明フィルムの矢印部、他方端は、透明フィルムの矢印部となり、該半透明フィルムの矢印部は色付きの箇所に弱粘着剤が塗布され、糊付き箇所が交錯するように設けられ、上下を重ねるように粘着し、上部と下部が続くようになっており、一枚を取り出すとき、次の一枚もそれに続いて出てきて、連続して取り出せること、それに、色付き面にも文字の書入れが可能で、方向付きの矢印表示や記事メモもできること、本考案では、名刺入れの機能を有するもので、  該ケース体は透明筐体で、該ケース体の長い方の両側面に名刺を収めたら、顕著に目立つものとなり、広告用名刺を中に入れても、人の目を惹きつける効果があること。
【００２０】
上述した説明により、本考案は確かに優れた産業上の利用可能性及び実用性があるもので、このようなユニークで、優れたオリジナルな設計を以て、法の規定に基づき、書類を添えて実用新案登録出願を行う所以である。
【００２１】
上述した内容は、本考案の実施可能な実施例について具体的に説明してきたものであり、これらの実施例を以て、本考案の実用新案登録請求範囲を制限してはならないものとし、本考案のコンセプトや考えに基づき、その変更などを行って、それと同等な効果を得たとしても、すべて本案の実用新案登録請求範囲に含まれるものとする。
【符号の説明】
【００２２】
1          ケース体
２          底板
３          ポップアップ式付箋紙
４          ポップアップ式付箋紙セット
５          付箋紙
６          名刺
７          弾性体
８          机
９          ポップアップ式付箋紙セット
１０        開き口
１１        長い切欠き
１２        縦仕切板
１３        横仕切板
２０        スロット
２１        フック形嵌込部
２２        突条部
２３        浅い切込み
２４        ゴム吸盤
１２０      爪フック
１２１      リブ
１３０      切欠き  
【図１】
0003186087.tif 000003
【図２】
0003186087.tif 000004
【図３】
0003186087.tif 000005
【図４】
0003186087.tif 000006
【図５】
0003186087.tif 000007
【図６】
0003186087.tif 000008